(57)【特許請求の範囲】
【請求項１】
全体が弧状にわん曲されて、その内部の嵌入溝に嵌入される可撓管を立上げてわん曲配管するための配管具本体を備えたわん曲配管具であって、
前記配管具本体は、外周側が開口した嵌入保持部と、該嵌入保持部の嵌入溝に嵌入された可撓管のわん曲径が小さくなることで、前記開口からわん曲方向の外側に可撓管が抜け出るのを防止する小径化防止具を長手方向の中央部に取付けるための被取付部とを備え、
前記小径化防止具は、バインド線、又は棒材であって、被取付部は、バインド線又は棒材が挿通可能な挿通孔で構成され、該挿通孔は、前記嵌入保持部の開口間にバインド線又は棒材が掛け渡るように、前記配管具本体における開口を挟んだ部分に対向して設けられていることを特徴とする可撓管のわん曲配管具。
【請求項２】
前記挿通孔は、前記配管具本体のわん曲に沿って長手方向に複数設けられていることを特徴とする請求項１に記載の可撓管のわん曲配管具。
【発明の詳細な説明】
【０００１】
【発明の属する技術分野】
本発明は、給水湯管の保護管（鞘管）、電線管などの可撓管を立上げてわん曲配管させるのに使用されるわん曲配管具に関するものである。
【０００２】
【従来の技術】
従来のわん曲配管具の一つとして、実公平１−３４４８９号公報に開示されているものが知られている。図１５及び図１６に示されるわん曲配管具Ａ’は、可撓管を立上げてわん曲配管するためのものであって、４分円弧状をしたパイプ体の背面となる外周側（わん曲径方向の外側）が開口していて、保護管を嵌入可能な嵌入溝３１が全長に亘って設けられた配管具本体Ｍ’と、該配管具本体Ｍ’のわん曲方向の両端部に設けられた被嵌合鍔３２にそれぞれ嵌合されて、嵌入溝３１の両端部を部分的に閉塞するための一対の閉塞蓋３３とで構成される。配管具本体Ｍ’は、そのわん曲方向の中央部に、その開口と干渉することなく取付けられた一対の脚体３４を介して床下面等に固定される。
【０００３】
例えば、給水湯管を挿通して保護するための保護管（鞘管）Ｐを上記わん曲配管具Ａ’を使用して立上げるには、以下のようにして行われる。まず、配管具本体Ｍ’の背面側の開口から、その嵌入溝３１に保護管Ｐをわん曲させて挿入した後に、前記配管具本体Ｍ’の両端の各被嵌合鍔３２に、該配管具本体Ｍ’のわん曲方向から閉塞蓋３３を嵌め込んで、配管具本体Ｍ’のわん曲方向の両端部において、内部の嵌入溝３１にわん曲して嵌入されている保護管Ｐが、そのわん曲径方向に抜け出るのを防止しておく。この状態で、一対の脚体３４を介してわん曲配管具Ａ’を床下面Ｇに固定して、保護管Ｐを配管しておいて、該保護管Ｐの一端から給水湯管（図示せず）を押し込んで通管させている。
【０００４】
ところが、この給水湯管を保護管Ｐに通管する際に、その通管抵抗によって、保護管Ｐのわん曲部がわん曲配管具Ａ’に対してずれて、図１６で２点鎖線で示されるように、保護管Ｐのわん曲径が一層小径となり易い。これにより、給水湯管の通管抵抗が一層大きくなって、その通管が困難、或いは不能となることがあった。この不具合は、上記のように、可撓管に管類を通管する場合のみならず、わん曲配管された電線管などの他の可撓管に電線などの線類を通線する場合においても、全く同様にして生ずる。
【０００５】
【発明が解決しようとする課題】
本発明は、立上り部においてわん曲配管された可撓管に通管・通線する際に、可撓管のわん曲部においても支障なく通管・通線できるわん曲配管具の提供を課題としている。
【０００６】
【課題を解決するための手段】
この課題を解決するための請求項１の発明は、全体が弧状にわん曲されて、その内部の嵌入溝に嵌入される可撓管を立上げてわん曲配管するための配管具本体を備えたわん曲配管具であって、前記配管具本体は、外周側が開口した嵌入保持部と、該嵌入保持部の嵌入溝に嵌入された可撓管のわん曲径が小さくなることで、前記開口からわん曲方向の外側に可撓管が抜け出るのを防止する小径化防止具を長手方向の中央部に取付けるための被取付部とを備え、前記小径化防止具は、バインド線、又は棒材であって、被取付部は、バインド線又は棒材が挿通可能な挿通孔で構成され、該挿通孔は、前記嵌入保持部の開口間にバインド線又は棒材が掛け渡るように、前記配管具本体における開口を挟んだ部分に対向して設けられていることを特徴としている。
ここで、「小径化防止具」とは、配管具本体の両端部を除く部分において、その嵌入溝を部分的に覆って、通管・通線時の抵抗によって、配管具本体に対して可撓管がずらされて、当該嵌入溝に嵌入されている可撓管のわん曲径が小さくなるのを防止するための部材を意味する。
【０００７】
請求項１の発明によれば、円弧状をした嵌入保持部の外周側の開口から内部の嵌入溝に可撓管を嵌入させた後に、配管具本体の長手方向の中央部の被取付部に小径化防止具を取付けることにより、その嵌入溝を外周側から部分的に覆った状態にし、該配管具本体を床下面などに固定して、可撓管を立上げてわん曲配管する。その後に、該可撓管の一方の端部から給水湯管などの管類、或いは電線などの線類を挿通して、通管・通線する。この管類、或いは線類が、わん曲配管具でわん曲支持されている可撓管のわん曲部に達した場合においても、該可撓管のわん曲部は、簡単な構成の小径化防止具であるバインド線又は棒材により嵌入溝に嵌入された可撓管がわん曲方向の外側に抜け出るのを確実に防止できて、配管具本体に対して可撓管がずれたりすることなく、管類・線類は、可撓管のわん曲形状に倣って、わん曲されたままスムーズに送り込まれて、通管・通線される。また、配管具本体の長手方向の中央部に小径化防止具を取付けるための被取付部が挿通孔で構成されているために、該挿通孔に対するバインド線又は棒材の挿通作業も容易となる。
【０００８】
また、請求項２の発明は、請求項１の発明において、前記挿通孔は、前記配管具本体のわん曲に沿って長手方向に複数設けられているために、請求項１の発明の作用効果に加えて、前記嵌入溝に嵌入された可撓管が配管具本体のわん曲方向に沿い易くなって、わん曲方向外側に一層抜け出ない構造となる。
【０００９】
【発明の実施の形態】
以下、実施例を挙げて、本発明を更に詳細に説明する。図１は、本発明に係るわん曲配管具Ａ1 を構成する配管具本体Ｍと閉塞リングＲとを分離させた状態の斜視図であり、図２は、配管具本体Ｍを下方から見た斜視図であり、図３は、本発明に係るわん曲配管具Ａ1 を使用して保護管Ｐを立上げ配管した状態の側面図であり、図４は、同様の状態の側面断面図であり、図５は、図４のＸ1 −Ｘ1 線拡大断面図であり、図６は、図４のＸ2 −Ｘ2 線拡大断面図であり、図７は、図４のＸ3 −Ｘ3 線拡大断面図であり、図８は、図４のＹ−Ｙ線拡大断面図である。本実施例のわん曲配管具Ａ1 は、内部に給水湯管を挿通して保護するための保護管Ｐを立上げ配管するためのものであって、配管具本体Ｍと、その長手方向の一端部に着脱可能に取付けられる閉塞リングＲとで構成される。
【００１０】
前記配管具本体Ｍは、保護管Ｐのわん曲部を嵌入保持するための４分円弧状をした嵌入保持部１と、自身を自立可能にするために、前記嵌入保持部１の開口側をそのまま外周側に延設して形成された一対の起立板部２とで構成される。このため、配管具本体Ｍの側面の全体形状は、斜辺が円弧状をした変則直角二等辺三角形状を呈していて、その起立した上端部のみは、上端から下方に向けて所定長さだけ外周側が閉塞されて、上端にゆくに従って横断面積が大きくなるような変則筒状をした管挿通部３となっているが、残りの部分の外周側は、全て開口されている。即ち、嵌入保持部１の開口側をそのまま外周側に延設して形成された一対の起立板部２は、互いに平行となって相対向していて、その下端面２ａは、前記管挿通部３の上端面３ａと平行に形成されていると共に、配管具本体Ｍの全体としては背面側となる起立板部２の側端面２ｂは、その下端面２ａと直角に形成されている。
【００１１】
このため、配管具本体Ｍの背面となる外周側は、その管挿通部３を除いて、これを構成する一対の起立板部２の部分においては、全て開口されており、この開口構造によって、配管具本体Ｍの背面側から保護管Ｐを嵌入可能にしている。なお、一対の起立板部２の部分のみを見ると、その下面と背面との双方において開口していて、該一対の起立板部２の背面側は、前記管挿通部３の背面側よりも内側に僅かに入り込んだ状態で、開口されている。この構造によって、図１１及び図１２に示されるように、壁面Ｗと床下面Ｇとの隅角部に配管具本体Ｍを設置する場合において、当該隅角部に異物が存在していたりしても、該隅角部に配管具本体Ｍを支障なく設置可能となる。また、図４ないし図６に示されているように、４分円弧状をした嵌入保持部１の横断面形状は、全長に亘って同一の略Ｕ字状をしていて、その内側の溝部は、保護管Ｐのわん曲部を嵌入させるための嵌入溝４を形成している。
【００１２】
また、図１に示されるように、配管具本体Ｍは、その側端部においても互いに平行な起立板部２が設けられていて、その側端面には、その全周に亘ってＵ字状の鍔体５が外周側に突出して設けられ、該鍔体５の外側には、その外周側に前記閉塞リングＲが嵌着される半割円筒状をしたリング被嵌着部６が、嵌入保持部１のわん曲方向に延設されている。このため、配管具本体Ｍの前記リング被嵌着部６の基端部には、側面視において、大きな段差部が形成されている。このリング被嵌着部６の前記嵌入溝４の方向に沿った端部外周面には、複数の抜止突条７が周方向に沿って突設されている。
【００１３】
また、配管具本体Ｍにおける嵌入保持部１のわん曲方向の中央部であって、しかも該嵌入保持部１と一対の起立板部２との接続部分には、後述のバインド線Ｂが挿通される複数のバインド線挿通孔８が前記嵌入溝４の方向に沿って所定間隔をおいて設けられている。更に、図１、図２及び図１３に示されるように、一対の起立板部２の下端部の前後端には、それぞれ補助固定鍔９が外側に向けて設けられ、相前後する各補助固定鍔９の間には、配管具本体Ｍを床下面Ｇに固定するための固定鍔１１が設けられている。一対の起立板部２の外側にそれぞれ一つずつ設けられる前記固定鍔１１は、図１３に示されるように、複数のわん曲配管具Ａ1 を横方向に並べて配置した場合に、隣接するわん曲配管具Ａ1 の固定鍔１１どうしが互いに干渉しないように、所定長だけ前後方向にずれて設けられている。
【００１４】
また、閉塞リングＲは、配管具本体Ｍの前記リング被嵌着部６の部分において、嵌入溝４の外側を閉塞して、該嵌入溝４に嵌入された保護管Ｐが、わん曲径方向に抜け出るのを防止する部材である。即ち、閉塞リングＲは、周方向に沿って可撓性を有するリング状をしており、周方向の相対向する部分に、前記リング被嵌着部６の抜止突条７の部分に当てがわれる一対の平板部２０が設けられている。この閉塞リングＲの長さは、配管具本体Ｍの側端面に設けられた前記鍔体５と前記抜止突条７との間に、僅かの隙間を有して嵌め込まれる寸法である。
【００１５】
次に、図９ないし図１２を参照して、上記したわん曲配管具Ａ1 を使用して、内部に給水湯管を挿通して保護するための保護管Ｐを立上げ配管する場合について説明する。この保護管Ｐは、適度の可撓性と剛性との双方を兼備しており、鞘管とも称されている。まず、図９及び図１０に示されるように、保護管Ｐの上端から、その外側に閉塞リングＲを遊嵌しておいて、配管具本体Ｍの管挿通部３に保護管Ｐの上端部を挿通して、該保護管Ｐに閉塞リングＲと配管具本体Ｍとの双方を遊嵌させておく。その後に、図１１に示されるように、配管具本体Ｍの外周側の開口から、その内部の嵌入溝４に保護管Ｐのわん曲部を嵌入しておいて、壁面Ｗと床下面Ｇとで形成される隅角部に前記配管具本体Ｍを設置して、その途中において、保護管Ｐに遊嵌されている閉塞リングＲを配管具本体Ｍの側に移動させて、図８に示されるように、そのリング被嵌着部６の外側に閉塞リングＲを嵌め込む。なお、図１１に示されるように、配管具本体Ｍを所定の位置に設置する場合には、該配管具本体Ｍは、その上端部の管挿通部３を介して保護管Ｐに遊嵌されているために、目的の位置に配管具本体Ｍを設置する作業が容易となる。
【００１６】
これにより、配管具本体Ｍの長手方向に沿って設けられた嵌入溝４の他方の端部の外側開口が閉塞されて、当該部分から保護管Ｐがわん曲径方向の外側に抜け出なくなる。また、本実施例のわん曲配管具Ａ1 においては、嵌入溝４の一方の端部には、管挿通部３が設けられていて、当該部分の嵌入溝４の外側開口は、該管挿通部３の周壁により閉塞されている。このため、配管具本体Ｍのリング被嵌着部６の外側に閉塞リングＲを嵌着させることにより、配管具本体Ｍに設けられた嵌入溝４の両端部の開口は、いずれも閉塞されて、当該両端部においては、嵌入溝４に嵌入された保護管Ｐは、そのわん曲径方向に抜け出なくなる。なお、閉塞リングＲの部分において、わん曲配管されている保護管Ｐがわん曲径方向に抜け出ようとする反力によって、閉塞リングＲの内周面は、リング被嵌着部６の外周面に密着させられるために、リング被嵌着部６に対して閉塞リングＲが抜けにくい構造となる。また、何らかの原因で、一旦嵌着した閉塞リングＲを取り外す場合には、保護管Ｐをリング被嵌着部６の側に引き寄せて、該保護管Ｐに作用している上記反力をなくせばよい。
【００１７】
引き続いて、該配管具本体Ｍを壁面Ｗと床下面Ｇとが交差する前記隅角部に設置して、その固定鍔１１に設けられたビス孔１１ａにビス１０を挿通し、該ビス１０を介して配管具本体Ｍを床下面Ｇに固定する。その後に、図１２に示されるように、配管具本体Ｍに設けられた複数のバインド線挿通孔８にバインド線Ｂを挿通して、このバインド線Ｂを配管具本体Ｍの内周側において結束すると、嵌入溝４に嵌入されている保護管Ｐのわん曲部は、図４及び図５に示されるように、そのわん曲径方向の内側に引き寄せられて、その状態が維持される。このため、配管具本体Ｍの嵌入溝４は、その両端部と、その中央部との３箇所以上において、外側開口が部分的に覆われて、該嵌入溝４に嵌入されている保護管Ｐのわん曲径が小さくなって、外側に抜け出るのが防止される。なお、本施工例では、保護管Ｐの起立部は、壁面Ｗに接しているが、壁面Ｗに接しない状態で、床下面Ｇに設置することも可能である。
【００１８】
このようにして、床下面Ｇから床上に立上がって配管された保護管Ｐの一端から給水湯管（図示せず）を通管して、該給水湯管が保護管Ｐのわん曲部に達すると、その通管抵抗によって、図４で２点鎖線で示されるように、該保護管Ｐに対しては、そのわん曲径を小さくするような外力が作用する。しかし、本発明に係るわん曲配管具Ａ1 においては、配管具本体Ｍの嵌入溝４に嵌入されている保護管Ｐは、その両端部のみならず、その中央部においても、バインド線Ｂによって、わん曲径が小さくならないようにして、管挿通部３に挿通保持されているために、保護管Ｐ内に挿通された給水湯管は、そのまま保護管Ｐのわん曲部に沿って前方にスムーズに通管されてゆく。なお、図３、図４、図７及び図１６において、床板１２には、配管具本体Ｍの上端部の管挿通部３を挿通して、床板１２の上面に臨ませるための挿通孔１３が設けられていると共に、該挿通孔１３の隙間は、床板１２の上面において閉塞板１４により閉塞される。
【００１９】
また、上記実施例では、バインド線Ｂを使用して、配管具本体Ｍの嵌入溝４の長手方向の中央部において、当該嵌入溝４に嵌入された保護管Ｐのわん曲径が小さくなって、外側に抜け出るのを防止しているが、図１４に示されるように、配管具本体Ｍの長手方向の中央部に複数の棒材挿通孔１５を設けておいて、該棒材挿通孔１５に挿通されたボルトから成る棒材１６によって、前記嵌入溝４に嵌入された保護管Ｐのわん曲径が小さくなるのを防止することもできる。
【００２０】
【００２１】
【００２２】
また、上記各実施例では、嵌入溝４のわん曲方向の中央部において、該嵌入溝４に嵌入されている保護管Ｐのわん曲径が小さくなるのを防止する小径化防止具として、バインド線Ｂ、棒材１６及び中央閉塞蓋２２を示したが、上記機能を有する限り、如何なるものであってもよい。例えば、配管具本体Ｍ’の中央部に、そのわん曲方向に沿ってわん曲したスリットを設けておいて、該スリットにわん曲板を挿入して、嵌入溝４に嵌入された保護管Ｐの外側に当てがうようにしてもよい。更に、小径化防止具は、配管具本体の嵌入溝に嵌入された可撓管が外側に抜け出て、そのわん曲径が小さくなるのを防止する機能を有すれば足り、前記各実施例のように、配管具本体に設けられた嵌入溝を全幅に亘って閉塞する構成のもののみならず、例えば、嵌入溝の幅方向の一端から他端に向けて短い棒材が片持ち状となって取付けられて、該嵌入溝に挿入された可撓管の外側を保持する場合のように、嵌入溝の全幅に亘らなくて、その一部のみを覆うような構成のものであってもよい。
【００２３】
【００２４】
【００２５】
【発明の効果】
本発明に係るわん曲配管具によれば、可撓管が外側に抜け出るのを防止する小径化防止具がバインド線又は棒材により構成されると共に、小径化防止具を配管具本体の長手方向の中央部に取付けるための被取付部が、前記バインド線又は棒材が挿通可能な挿通孔により構成されていて、配管具本体の中央部の挿通孔に挿通されたバインド線又は棒材が嵌入保持部の開口間に掛け渡るため、前記挿通孔に挿通されたバインド線又は棒材によって、嵌入保持部の外周側の開口から内部の嵌入溝に嵌入された可撓管のわん曲方向の中央部を、その外側から保持できる。このため、嵌入溝から可撓管が外側に抜け出て、そのわん曲径が小さくなるのを防止できて、管類・線類を立上げ配管された可撓管に通管・通線する場合においても、その通管・通線の抵抗によって、配管具本体に対して可撓管のわん曲部がずれたりしないで、可撓管内に挿通された管類・線類は、そのわん曲部において、可撓管のわん曲形状に倣って、わん曲されたままスムーズに送り込むことができる。この結果、管類・線類の通管・通線の作業が容易となる。
【図面の簡単な説明】
【図１】  本発明に係るわん曲配管具Ａ1 を構成する配管具本体Ｍと閉塞リングＲとを分離させた状態の斜視図である。
【図２】  配管具本体Ｍを下方から見た斜視図である。
【図３】  本発明に係るわん曲配管具Ａ1 を使用して保護管Ｐを立上げ配管した状態の側面図である。
【図４】  同様の状態の側面断面図である。
【図５】  図４のＸ1 −Ｘ1 線拡大断面図である。
【図６】  図４のＸ2 −Ｘ2 線拡大断面図である。
【図７】  図４のＸ3 −Ｘ3 線拡大断面図である。
【図８】  図４のＹ−Ｙ線拡大断面図である。
【図９】  保護管Ｐに閉塞リングＲと配管具本体Ｍとを遊嵌する前の状態の作用説明図である。
【図１０】  保護管Ｐに閉塞リングＲと配管具本体Ｍとの双方が遊嵌された状態の作用説明図である。
【図１１】  保護管Ｐに遊嵌された配管具本体Ｍを所定位置に設置する直前の状態を示す作用説明図である。
【図１２】  保護管Ｐに遊嵌された配管具本体Ｍが所定位置に設置された状態を示す作用説明図である。
【図１３】  固定鍔１１が干渉することなく、複数のわん曲配管具Ａ1 が横方向に並べて設置された状態を示す平面図である。
【図１４】  棒材１６を使用して、保護管Ｐのわん曲部の中央部がわん曲径方向の外側に抜け出るのを防止する構造を示す横断面図である。
【図１５】  従来のわん曲配管具Ａ’の斜視図である。
【図１６】  従来のわん曲配管具Ａ’の側面図である。
【符号の説明】
Ａ1 ：わん曲配管具
Ｂ：バインド線（小径化防止具）
Ｍ，Ｍ’：配管具本体
Ｐ：保護管
Ｒ：閉塞リング（端部閉塞部材）
１：嵌入保持部
４：嵌入溝
８：バインド線挿通孔（小径化防止具の被取付部）
１５：棒材挿通孔（小径化防止具の被取付部）
１６：棒材（小径化防止具）
【図１】
0003701468.tif 000002
【図２】
0003701468.tif 000003
【図３】
0003701468.tif 000004
【図４】
0003701468.tif 000005
【図５】
0003701468.tif 000006
【図６】
0003701468.tif 000007
【図７】
0003701468.tif 000008
【図８】
0003701468.tif 000009
【図９】
0003701468.tif 000010
【図１０】
0003701468.tif 000011
【図１１】
0003701468.tif 000012
【図１２】
0003701468.tif 000013
【図１３】
0003701468.tif 000014
【図１４】
0003701468.tif 000015
【図１５】
0003701468.tif 000016
【図１６】
0003701468.tif 000017